(57)【要約】      （修正有）【課題】衣類表面の立体感を高めて着用者および外観者に興味を喚起させる衣類を提供する。【解決手段】衣類の前身頃２０・後身頃３０、又は左袖・右袖４０のいずれかに、動物を模した立体動物体の前身体５３、あるいは後身体５５を配設する。立体動物体の前身体、後身体は、ウレタンフォーム、綿、羽根などの充填物と、充填物を被覆する被覆体よりなり、衣類の前後身頃、左右袖に着脱自在である構成を有する。【選択図】図３
0003185314.tif 000002
【実用新案登録請求の範囲】
【請求項１】
前後身頃、左右袖などより構成される衣類において、
前身頃・後身頃、又は左袖・右袖のいずれかに、動物を模した立体動物体の前部半身をなす前身体を、
前記前身体を配設した身頃又は袖に対応する身頃又は袖のいずれかに、動物を模した立体動物体の後部半身をなす後身体を、配設してなる衣類。
【請求項２】
前記立体動物体の前身体、後身体は、充填物と、充填物を被覆する被覆体よりなり、充填物はウレタンフォーム、綿、羽根など洗濯可能な素材よりなる請求項１記載の衣類。
【請求項３】
前記立体動物体の前身体、後身体は、衣類の前後身頃、左右袖に着脱自在である請求項１又は２記載の衣類。
【請求項４】
前記立体動物体の前身体、後身体は、合体すると立体動物体を形成することを特徴とする請求項１ないし３記載の衣類。
【請求項５】
衣類の前後身頃、又は左右袖には前記立体動物体の前後身体の模様が表示されていることを特徴とする請求項１記載の衣類。
【考案の詳細な説明】
【技術分野】
【０００１】
本考案は、ティーシャツ、子供服など、衣類に関する。
【背景技術】
【０００２】
下記の特許文献１に開示される衣類は、前身頃に描いた絵柄にスポンジやウレタン等の嵩高材を乗せ、フイルムで被覆して膨らみを持たせ、絵柄に立体感を出している。
また、特許文献２に開示されている衣類は、衣類の正面と裏面にそれぞれ対象物の正面図柄、背面図柄を描き、該図柄において尻尾、触覚、羽根などの突出物を模した模擬体を該当位置に取り付け、取り外し自在に配設している。
これらの衣類はそれぞれ、趣向を凝らしており、着用者に着用の楽しみを与えると共に、外観者の興味をそそることができる。
【先行技術文献】
【特許文献】
【０００３】
【特許文献１】登録実用新案第３０３１８４５号公報
【特許文献２】登録実用新案第３１４６３１２号公報
【考案の概要】
【考案が解決しようとする課題】
【０００４】
本考案は、さらに立体感を高めて着用者および外観者に興味を喚起させる衣類を提供するものである。
【課題を解決するための手段】
【０００５】
本考案の衣類は、前身頃・後身頃、又は左袖・右袖のいずれかに、動物を模した立体動物体の前身体を、前身頃・後身頃、又は左袖・右袖のいずれかに、動物を模した立体動物体の後身体を、配設した構成を基本的に具備する。
【０００６】
また、前記立体動物体の前身体、後身体は、充填物と、充填物を被覆する被覆体よりなり、充填物はウレタンフォーム、綿、羽根など洗濯可能な素材よりなる構成、衣類の前後身頃、左右袖に着脱自在である構成、または、前身体、後身体を合体すると立体動物体を形成する構成を具備する。
【０００７】
更に、衣類の前後身頃、左右袖には取り付ける前記立体動物体の前後身体の模様が表示されている構成を具備する。
【考案の効果】
【０００８】
本考案の衣類は、上記構成を有しており、立体動物体が衣類の立体感を高め、着用者、外観者の興味を喚起すると共に、前身体、後身体を衣類から取り外し合体させることにより動物の縫いぐるみ玩具を形成することにより、より趣向を高め、多機能を有する衣類を提供することができる。
【図面の簡単な説明】
【０００９】
【図１】図１は、本考案を実施した上衣の前身頃の平面図
【図２】図２は、本考案を実施した上衣の後身頃の平面図
【図３】図３は、本考案を実施した上衣の側面図
【図４】図４は、立体動物体の断面図
【図５】図５は、実施例２の上衣の前身頃の平面図
【図６】図６は、実施例２の上衣の後身頃の平面図
【図７】図７は、立体動物体の前身体の斜視図
【図８】図８は、立体動物体の後身体の斜視図
【図９】図９は、立体動物体の全体斜視図
【考案を実施するための形態】
【００１０】
以下、本考案の実施の形態について図面を用いて説明する。
【実施例１】
【００１１】
図１は、本考案を実施した衣類、図面では上衣の前身頃の平面図、図２は後身頃の平面図、図３は側面図である。
ティーシャツ、スモッグ、ブラウス等の洗濯可能な素材で構成される上衣１は、前身頃２０、後身頃３０、袖４０等で構成されている。
【００１２】
前身頃２０には動物を模した立体動物体５０、例えばパンダ、の前部半身をなす前身体５３が取付面５３Ａを介して配設されている。
後身頃３０には、前身頃に配設されている立体動物体５０の後部半身をなす後身体５５が取付面５５Ａを介して配設されている。
前身体５３は、ウレタフォーム、綿、羽毛などの洗濯可能な充填物５３３と、充填物５３３を被覆する被覆体５３０よりなる。被覆体５３０は、上衣１の素材と同様に洗濯可能であって、綿、ポリエステル、ポリウレタンなどの素材で織成、編成された布帛、あるいはフイルムで構成される。
【００１３】
充填物５３３は、立体動物体５０の前身体５３に模した形状の凹凸が形成されており、被覆体５３０には充填物５３３の凹凸にあわせて、動物、図面に示す実施例ではパンダの、耳・目・口・手・足などを備えた、前身体５３が描かれている。
【００１４】
後身頃３０に配設される立体動物体５０の後身体５５も、前身体５３と同様にウレタフォーム、綿、羽毛などの洗濯可能な充填物５５５と、前身体５３の被覆体５３０と同一素材よりなる、充填物５５５を被覆する被覆体５５０より構成されている。充填物５５５は、立体動物体５０の後姿に模した凹凸が形成されており、被覆体５５０には充填物５５５の凹凸にあわせて、動物、図面に示す実施例ではパンダの、耳・尻尾などを備えた、後身体５５が描かれている。
【００１５】
ここで、前身体５３の取付面５３Ａと後身体５５の取付面５５Ａを合体させると、パンダＰを構成する。・・・図９参照
【００１６】
前身体５３の上衣１の前身頃２０への取り付けは、貼付け、周縁を縫製する、などの手段で固着する。
後身体５５の上衣１の後身頃３０への取り付けは、貼付け、周縁を縫製する、などの手段で固着する。
【００１７】
このように構成する上衣１は、前身頃と後身頃に立体動物体５０が突出しているので、前後・左右から見える立体模様としてとらえられ、着衣の趣向を増すことができる。また、衣類の前身頃、後身頃にウレタフォーム、綿、羽毛などの充填物５３３、５５５が充填された前身体５３・後身体５５が配設されているので、この上衣１の着用者が転倒したとき、立体動物体５０が衝撃を防護する。
【実施例２】
【００１８】
上記実施例では立体動物体５０の前身体５３、後身体５５はそれぞれ上衣１に貼着、縫製などの手段により固着する例を示しているが、図５〜図８に示すように、上衣に取り外し（着脱）自在とすることもできる。
【００１９】
前身体５３の取付面５３Ａの適宜箇所に係止具５４を取り付ける。係止具としては、例えばボタン、ホック、綿ファスナー等が使用される。
後身体５５の取付面５５Ａの適宜箇所に前身体５３と同様の係止具５６を取り付ける。
また、上衣１の前身頃２０の前身体５３の係止具５４対応位置に係止具２３を取付ける。前身体５３の係止具５４がボタンの場合は、前身頃２０にはボタン穴、雄ホックの場合は雌ホック、雄綿ファスナーの場合は雌綿ファスナーとする。
同様に、後身頃３０にも立体動物体の後身体５５の係止具５６に対応する位置に係止具２５を取り付ける。
このように構成することで、立体動物体５０は上衣１に対して着脱自在となる。
【００２０】
また、取り外された前身体５３と後身体５５の取付面５３Ａ、５５Ａを合わせると、図９に示すように、パンダの縫いぐるみとなる。この場合、取付面に配設する係止具は共に係合し合う位置、例えば、耳部分、足部分、首部分（図示せず）などに配設する。また、係止具としては、例えば、雄雌ホック、雄雌ファスナーなど、互いに係合し合う係止具を用いる。
この構成によると、必要に応じて、例えば、混雑車内など、立体動物体の前身体、後身体を取り外すことができると共に、組み合わせて縫いぐるみの玩具として楽しむことができる。
【００２１】
この態様で、図５、６に示すように、上衣１の前身頃には例えばパンダの前姿絵１０を、後身頃には後姿絵１５を描いておくことにより、立体動物体を取り外した場合に、絵柄があり、趣向を損なうことが無い。
更に、前身頃、後身頃に配設する係止具２３，２５を絵柄の目部分、耳部分、足部分、尻尾部等に配設することにより、立体動物体を取り外したとき、係止具２３,２５が模様（絵柄）の一部となり、更に趣向を増すことができる。
なお、係止具の配設は上記位置に限ることなく、口・首・手部分など、適宜に配設し得る。
【００２２】
その他、立体動物体の形態を、赤ちゃんから成長段階に応じて大きくした立体動物体バージョンを用意し、着用者の成長に合わせたり、着用するとき、場所にあわせて交換することもできる。
【００２３】
本考案は以上のような形態のみに限定されるものではなく、衣類の左右の袖に立体動物体の前後、あるいは左右身体を配設することも可能である。この形態も、取り外した前後、あるいは左右身体を合体させることにより、縫いぐるみ玩具として楽しむことができる。
【符号の説明】
【００２４】
１  衣類（上衣）
１０  動物の前姿絵
１５  動物の後姿絵
２０  前身頃
３０  後身頃
４０  袖
５０  立体動物体
５３  前身体
５５  後身体
５３０、５５０  被覆体
５３３、５５５  充填物
【図３】
0003185314.tif 000003
【図４】
0003185314.tif 000004
【図５】
0003185314.tif 000005
【図６】
0003185314.tif 000006
【図７】
0003185314.tif 000007
【図８】
0003185314.tif 000008
【図１】
0003185314.tif 000009
【図２】
0003185314.tif 000010
【図９】
0003185314.tif 000011